(57)【要約】【目的】  フレキシブルプリント配線板同士を半田付けにより接続する作業の作業性を向上すると共に、フレキシブルプリント配線板同士の接続不良を防止する。【構成】  フレキシブルプリント配線板３７の接続部３７Ｄの裏面とフレキシブルプリント配線板３８の接続部３８Ｄの裏面に補強板４０が接着され、接続部３７Ｄと接続部３８Ｄとが面一になっている。【選択図】  図４
2006269832.tif 000002
【特許請求の範囲】
【請求項１】
ベースフィルムに配線パターンが形成されたフレキシブルプリント配線板同士を、前記ベースフィルムの端縁部に形成された接続部同士を半田付けすることにより接続するフレキシブルプリント配線板の接続構造であって、
前記接続部同士を裏面側で接合して前記接続部同士の接続を補強する補強板を備え、
前記接続部同士を面一にしたことを特徴とするフレキシブルプリント配線板の接続構造。
【請求項２】
前記補強板をポリイミドで形成したことを特徴とする請求項１に記載のフレキシブルプリント配線板の接続構造。
【請求項３】
前記補強板をＳＵＳで形成したことを特徴とする請求項１に記載のフレキシブルプリント配線板の接続構造。
【請求項４】
前記補強板を他部品に固定するための穴を前記補強板に空けたことを特徴とする請求項１乃至３の何れか１項に記載のフレキシブルプリント配線板の接続構造。
【請求項５】
前記穴を前記配線パターンの中のグランドパターンに導通させたことを特徴とする請求項４に記載のフレキシブルプリント配線板の接続構造。
【請求項６】
請求項１乃至５の何れか１項に記載のフレキシブルプリント配線板の接続構造を備え、
前記フレキシブルプリント配線板の前記配線パターンに接続された電荷結合素子を有することを特徴とするカメラモジュール。
【発明の詳細な説明】
【技術分野】
【０００１】
本発明は、ベースフィルムに配線パターンが形成されたフレキシブルプリント配線板同士を、ベースフィルムの端部に形成された接続部同士を半田付けすることにより接続するフレキシブルプリント配線板の接続構造、及び、このフレキシブルプリント配線板の接続構造と電荷結合素子を備えるカメラモジュールに関する。
【背景技術】
【０００２】
従来から、デジタルカメラ等の電子機器において、ＣＣＤ等の電子部品がフレキシブルプリント配線板によって他の電子部品やプリント配線板に電気的に接続されている。このフレキシブルプリント配線板では、可撓性を有するベースフィルム上に配線パターンが形成され、配線パターンが保護層で覆われているが、ベースフィルムの端縁部だけ配線パターンが露出されており、この端縁部に半田メッキが施されて接続部が形成されている。この接続部が、他のフレキシブル配線板等に半田付けにより電気的に接続される。
【０００３】
ここで、フレキシブルプリント配線板同士を接続する場合には、図８（Ａ）に示すように、接続部１０２同士を重ね合わせ、位置決め用の係合部によって互いの配線パターン１０４が向い合うように位置決めしている（例えば、特許文献１参照）。
【０００４】
しかしながら、図８（Ｂ）に示すように、接続部１０２同士を重ね合わせているが故に、接続部１０２同士にフレキシブルプリント配線板１００の厚み分だけの段差が出来てしまう。このため、半田１０６の量を多くしなければ接続部１０２同士を接続することができず、作業性が悪かった。
【０００５】
また、図９に示すように、下側の接続部１０２上の半田１０６が、半田メッキされた接続部１０２全体に塗れ広がって上下の接続部１０２の間に入り込み、上側の接続部１０２が捲り上がることによって、接続不良が発生していた。
【０００６】
さらに、図１０に示すように、半田１０６が上下に分離することによる接続不良も発生していた。
【特許文献１】特開２０００−１６５０３４号公報
【発明の開示】
【発明が解決しようとする課題】
【０００７】
本発明は上記事実を考慮してなされたものであり、フレキシブルプリント配線板同士を半田付けにより接続する作業の作業性を向上すると共に、フレキシブルプリント配線板同士の接続不良を防止することを目的とする。
【課題を解決するための手段】
【０００８】
請求項１に記載のフレキシブルプリント配線板の接続構造は、ベースフィルムに配線パターンが形成されたフレキシブルプリント配線板同士を、前記ベースフィルムの端縁部に形成された接続部同士を半田付けすることにより接続するフレキシブルプリント配線板の接続構造であって、前記接続部同士を裏面側で接合して前記接続部同士の接続を補強する補強板を備え、前記接続部同士を面一にしたことを特徴とする。
【０００９】
請求項１に記載のフレキシブルプリント配線板の接続構造では、ベースフィルムに配線パターンが形成されたフレキシブルプリント配線板同士が、ベースフィルムの端縁部に形成された接続部同士を半田付けすることにより接続されている。
【００１０】
ここで、接続部同士は補強板によって裏面側で接合されており、接続部同士の接続強度が補強されている。そして、接続部同士が面一になっている。
【００１１】
これによって、接続部同士に段差があった従来と比して半田の量を減らすことができ、作業性を向上できる。また、接続部同士に段差が無いことによって、半田の分離や接続部と接続部との間への半田の侵入を防止できるので、フレキシブルプリント配線板同士の接続不良を防止できる。
【００１２】
請求項２に記載のフレキシブルプリント配線板の接続構造は、請求項１に記載のフレキシブルプリント配線板の接続構造であって、前記補強板をポリイミドで形成したことを特徴とする。
【００１３】
請求項２に記載のフレキシブルプリント配線板の接続構造では、強度が高いポリイミドによって補強板を形成したことで、補強板を薄型化しても接続部同士の接続強度を確保することが可能である。
【００１４】
請求項３に記載のフレキシブルプリント配線板の接続構造は、請求項１に記載のフレキシブルプリント配線板の接続構造であって、前記補強板をＳＵＳで形成したことを特徴とする。
【００１５】
請求項３に記載のフレキシブルプリント配線板の接続構造では、強度が高いＳＵＳによって補強板を形成したことで、補強板を薄型化しても接続部同士の接続強度を確保することが可能である。
【００１６】
請求項４に記載のフレキシブルプリント配線板の接続構造は、請求項１乃至３の何れか１項に記載のフレキシブルプリント配線板の接続構造であって、前記補強板を他部品に固定するための穴を前記補強板に空けたことを特徴とする。
【００１７】
請求項４に記載のフレキシブルプリント配線板の接続構造では、補強板に穴が空けられており、この穴によって補強板を他部品に固定することが可能になっている。これによって、接続部を他部品に固定することができ、接続部にかかる負荷を低減できるので、接続部の分離を防止できる。
【００１８】
請求項５に記載のフレキシブルプリント配線板の接続構造は、請求項４に記載のフレキシブルプリント配線板の接続構造であって、前記穴を前記配線パターンの中のグランドパターンに導通させたことを特徴とする。
【００１９】
請求項５に記載のフレキシブルプリント配線板の接続構造では、他部品に固定するために補強板に空けられた穴が、フレキシブルプリント配線板に形成されたグランドパターンに導通されており、フレキシブルプリント配線板のグランドパターンを接地することが可能になっている。
【００２０】
請求項６に記載のカメラモジュールは、請求項１乃至５の何れか１項に記載のプリント配線板の接続構造を備え、前記フレキシブルプリント配線板の前記配線パターンに接続された電荷結合素子を有することを特徴とする。
【００２１】
請求項６に記載のカメラモジュールでは、上述したフレキシブルプリント配線板の接続構造によって、フレキシブルプリント配線板同士が良好に接続されているので、フレキシブルプリント配線板の配線パターンに接続された電荷結合素子が、良好に信号を送受信できる。
【発明の効果】
【００２２】
本発明は、上記構成にしたので、フレキシブルプリント配線板同士を半田付けにより接続する作業の作業性を向上できると共に、フレキシブルプリント配線板同士の接続不良を防止できる。
【発明を実施するための最良の形態】
【００２３】
以下に図面を参照しながら本発明の実施の形態を説明する。
【００２４】
まず、図１を参照して、本実施の形態に係るデジタルカメラ１０の外観上の構成を説明する。図１に示すように、デジタルカメラ１０は、カメラ筐体１１の正面に、被写体像を結像させるためのレンズ２１、撮影時に必要に応じて被写体に照射する光を発するストロボ６２、及び撮影する被写体の構図を決定するために用いられるファインダ８８を備えている。また、デジタルカメラ１０は、カメラ筐体１１の上面に、撮影を実行する際にユーザによって押圧操作されるレリーズボタン（所謂シャッター）９２、及び電源スイッチ９４を備えている。
【００２５】
なお、本実施の形態に係るデジタルカメラ１０のレリーズボタン９２は、中間位置まで押下される状態（以下、「半押し状態Ｓ１」という。）と、当該中間位置を超えた最終押下位置まで押下される状態（以下、「全押し状態Ｓ２」という。）と、の２段階の押圧操作が検出可能に構成されている。そして、デジタルカメラ１０では、レリーズボタン９２を半押し状態Ｓ１にすることによりＡＥ（Automatic Explosure、自動露出）機能が働いて露出状態（シャッタースピード、絞りの状態）が設定された後、ＡＦ（Auto Focus、自動合焦）機能が働いて合焦制御され、その後、引き続き全押し状態Ｓ２にすると露光（撮影）が行われるようになっている。
【００２６】
一方、カメラ筐体１１の背面には、上記ファインダ８８の接眼部が設けられている。このファインダ８８の接眼部近傍（図１では下方）には、撮影によって得られたデジタル画像データにより示される被写体像や各種メニュー画面、そしてメッセージ等を表示するための液晶ディスプレイ（以下、「ＬＣＤ」という。）４４が設けられている。また、ＬＣＤ４４近傍（図１では上方）にはモード切替スイッチ９６が設けられ、またＬＣＤ４４近傍（図１では右方）には十字カーソルボタン９８が設けられている。モード切替スイッチ９６は、ユーザによってスライド操作によって、撮影を行うモードである撮影モード、及び撮影によって得られたデジタル画像データにより示される被写体像をＬＣＤ４４に表示（再生）するモードである再生モードの何れか一方のモードに設定するためのものである。十字カーソルボタン９８は、ＬＣＤ４４の表示領域における上・下・左・右の４方向の移動方向を示す４つの矢印キー及び当該４つの矢印キーの中央部に位置された決定キーの合計５つのキーを含んで構成されており、各キーの押圧により該当するコマンドを出力するものである。また、十字カーソルボタン９８の近傍（図１では上方）には、ユーザの押圧操作によって、撮影時にストロボ６２を強制的に発光させるモードである強制発光モードを設定するための強制発光スイッチ９９が設けられている。
【００２７】
次に、図２を参照して、本実施の形態に係るデジタルカメラ１０の電気系の構成を説明する。
【００２８】
デジタルカメラ１０は、カメラモジュール１２を備えている。カメラモジュール１２は、レンズ２１を含んで構成された光学ユニット２２を備えており、光学ユニット２２の射出側でレンズ２１の光軸後方には電荷結合素子（以下、「ＣＣＤ」という。）２４が設けられている。ＣＣＤ２４は、アナログ信号処理部２６、アナログ／デジタル変換器（以下、「ＡＤＣ」という。）２８及びデジタル信号処理部３０を介してシステムバスＢＵＳに接続されている。アナログ信号処理部２６は、ＣＣＤの出力信号に含まれるノイズ（特に熱雑音）等を軽減して正確な画素データを得る回路などを含んで構成されている。また、ＡＤＣ２８は、入力されたアナログ信号をデジタルデータに変換するためのものである。また、デジタル信号処理部３０は、所定容量のラインバッファを内蔵し、かつ入力されたデジタル画像データをメモリ７２の所定領域に直接記憶させる制御を行うと共に、デジタル画像データに対して各種のデジタル画像処理を行うものである。
【００２９】
なお、システムバスＢＵＳには、デジタル信号処理部３０，ＬＣＤインタフェース４２，ＣＰＵ（中央処理装置）５０、メモリインタフェース７０、外部メモリインタフェース８０、及び圧縮・伸張処理回路８６の各々が相互にデータやコマンドを授受可能に接続されている。ＬＣＤインタフェース４２は、デジタル画像データにより示される画像やメニュー画面等をＬＣＤ４４に表示させるための信号を生成してＬＣＤ４４に供給するインタフェース回路である。ＣＰＵ（中央処理装置）５０は、デジタルカメラ１０全体の動作を司る処理装置である。メモリ７２は、主として撮影により得られたデジタル画像データを記憶するＶＲＡＭ（Video RAM）により構成されたメモリである。メモリインタフェース７０は、メモリ７２に対するアクセスのための制御回路である。外部メモリインタフェース８０は、スマートメディア（Smart Media(登録商標)）等の記録メディアにより構成されたメモリカード８２をデジタルカメラ１０でアクセス可能とするためのインタフェース回路である。圧縮・伸張処理回路８６は、所定の圧縮形式でデジタル画像データに対して圧縮処理を施す一方、圧縮処理されたデジタル画像データに対して圧縮形式に応じた伸張処理を施す処理回路である。
【００３０】
従って、ＣＰＵ５０は、デジタル信号処理部３０及び圧縮・伸張処理回路８６の作動の制御、ＬＣＤ４４に対するＬＣＤインタフェース４２を介した各種情報の表示、メモリ７２及びメモリカード８２へのメモリインタフェース７０及び外部メモリインタフェース８０を介したアクセスを行う。
【００３１】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はＣＰＵ５０によりタイミングジェネレータ３２を介して制御される。
【００３２】
また、デジタルカメラ１０は駆動部３４を備えており、光学ユニット２２に備えられた焦点調整機構（詳細は後述）やズーム機構及び絞り駆動機構の駆動もＣＰＵ５０により駆動部３４を介して制御される。
【００３３】
ＣＰＵ５０は、光学ズーム倍率を変更する際には図示しないズーム機構を駆動制御して光学ユニット２２に含まれるレンズ２１の焦点距離を変化させる。また、ＣＰＵ５０は、ＣＣＤ２４による撮像によって得られた画像のコントラスト値が最大となるように上記焦点調整機構（後述）を駆動制御することによって合焦制御する。本実施の形態に係るデジタルカメラ１０では、合焦制御として、読み取られた画像のコントラストが最大となるようにレンズの位置を設定する、所謂ＴＴＬ（Through The Lens）方式を採用している。
【００３４】
また、レリーズボタン９２、電源スイッチ９４、モード切替スイッチ９６、十字カーソルボタン９８、及び強制発光スイッチ９９の各種ボタン類及びスイッチ類（同図では、「操作部９０」と総称。）はＣＰＵ５０に接続されており、ＣＰＵ５０は、これらの操作部９０に対する操作状態を常時把握できる。
【００３５】
また、デジタルカメラ１０は、ストロボ６２とＣＰＵ５０との間に介在され、ＣＰＵ５０の制御によりストロボ６２を発光させるための電力を充電する充電部６０を備えている。ストロボ６２はＣＰＵ５０にも接続されており、ストロボ６２の発光はＣＰＵ５０によって制御される。
【００３６】
次に、本実施の形態に係るデジタルカメラ１０の全体的な動作について簡単に説明する。
【００３７】
まず、ＣＣＤ２４により光学ユニット２２を介した撮像を行い、被写体像を示すＲ（赤）、Ｇ（緑）、Ｂ（青）の信号をアナログ信号処理部２６に順次出力する。アナログ信号処理部２６は、ＣＣＤ２４から入力された信号に対して相関二重サンプリング処理等のアナログ信号処理を施した後にＡＤＣ２８に順次出力する。ＡＤＣ２８は、アナログ信号処理部２６から入力されたＲ，Ｇ，Ｂの信号を各々１２ビットのＲ，Ｇ，Ｂの信号（デジタル画像データ）に変換してデジタル信号処理部３０に順次出力する。デジタル信号処理部３０は、内蔵しているラインバッファにＡＤＣ２８から順次出力されるデジタル画像データを蓄積して一旦メモリ７２の所定領域に格納する。
【００３８】
メモリ７２の所定領域に格納されたデジタル画像データは、ＣＰＵ５０による制御によりデジタル信号処理部３０によって読み出され、これらに所定の物理量に応じたデジタルゲインをかけることでホワイトバランス調整を行なうと共に、ガンマ処理及びシャープネス処理を行なって８ビットのデジタル画像データを生成し、更にＹＣ信号処理を施して輝度信号Ｙとクロマ信号Ｃｒ，Ｃｂ（以下、「ＹＣ信号」という。）を生成し、ＹＣ信号をメモリ７２の上記所定領域とは異なる領域に格納する。
【００３９】
なお、ＬＣＤ４４は、ＣＣＤ２４による連続的な撮像によって得られた動画像（スルー画像）を表示してファインダとして使用することができるものとして構成されているが、このようにＬＣＤ４４をファインダとして使用する場合には、生成したＹＣ信号を、ＬＣＤインタフェース４２を介して順次ＬＣＤ４４に出力する。これによってＬＣＤ４４にスルー画像が表示されることになる。
【００４０】
ここで、レリーズボタン９２がユーザによって半押し状態とされた場合、前述のようにＡＥ機能が働いて露出状態が設定された後、ＡＦ機能が働いて合焦制御され、その後、引き続き全押し状態とされた場合、この時点でメモリ７２に格納されているＹＣ信号を、圧縮・伸張処理回路８６によって所定の圧縮形式（本実施の形態ではＪＰＥＧ形式）で圧縮した後に外部メモリインタフェース８０を介してメモリカード８２に記録することにより撮影が行われる。
【００４１】
次に、カメラモジュール１２について説明する。
［第１実施形態］
図３に示すように、カメラモジュール１２には光学ユニット２２が備えられており、光学ユニット２２の射出側でレンズ２１の光軸後方にはＣＣＤ２４が設けられている。ＣＣＤ２４は、プリント配線板１３に半田付けされ、アナログ信号処理部２６やＡＤＣ２８等を含むＩＣ１４がプリント配線板１５に半田付けされており、プリント配線板１３とプリント配線板１５がフレキシブルプリント配線板１６によって電気的に接続されている。また、システムバスＢＵＳ（図２参照）に接続されたコネクタ１７に接続されるコネクタ１８がプリント配線板１９に半田付けされており、プリント配線板１５とプリント配線板１９がフレキシブルプリント配線板３６によって接続されている。このフレキシブルプリント配線板３６は、プリント配線板１５に接続されたフレキシブルプリント配線板３７と、プリント配線板１９に接続されたフレキシブルプリント配線板３８とが接続されて構成されている。
【００４２】
図４に示すように、フレキシブルプリント配線板３７、３８ではそれぞれ、可撓性を有する絶縁材料で形成されたベースフィルム３７Ａ、３８Ｂの上に銅箔による配線パターン３７Ｂ、３８Ｂが形成され、配線パターン３７Ｂ、３８Ｂがそれぞれ保護層３７Ｃ、３８Ｃで覆われているが、ベースフィルム３７Ａ、３８Ａの端縁部だけ配線パターン３７Ｂ、３８Ｂが露出されており、この端縁部に半田メッキが施されて接続部３７Ｄ、３８Ｄが形成されている。この接続部３７Ｄ、３８Ｄが、半田付けにより電気的に接続される。
【００４３】
また、図５（Ａ）に示すように、接続部３７Ｄ、３８Ｄの両端部にはそれぞれ、位置決め用の係合部３７Ｅ、３８Ｅが形成されている。係合部３７Ｅには凹部３７Ｆが形成され、係合部３８Ｅには凸部３８Ｆが形成されている。図５（Ｂ）に示すように、この凹部３７Ｆと凸部３８Ｆは対向しており、凸部３８Ｆを凹部３７Ｆの奥側に、凹部３７Ｆの両側を凸部３８Ｆの両側に重ね合せることで、係合部３７Ｅと係合部３７Ｆが係合し、接続部３７Ｄと接続部３８Ｄが位置決めされ、配線パターン３７Ｂと配線パターン３８Ｂが直線状に揃う。
【００４４】
ここで、接続部３７Ｄの端縁部は、凹部３７Ｆに揃えられており、接続部３８Ｄの端縁部と重ならないようになっている。
【００４５】
また、図４に示すように、接続部３８Ｄの裏面には、ポリイミドで形成された補強板４０が接着されている。この補強板４０は、接続部３７Ｄの裏面まで延びており、接続部３７Ｄの裏面にも接着されている。即ち、接続部３７Ｄと接続部３８Ｄは、裏面側で補強板４０によって接合されており、接続部３７Ｄと接続部３８Ｄとの接続強度が補強されている。
【００４６】
ここで、接続部３７Ｄの裏面の全面と接続部３８Ｄの裏面の全面が補強板４０に当接しており、接続部３７Ｄと接続部３８Ｄの半田メッキが施された面が面一になっている。このように面一となった接続部３７Ｄと接続部３８Ｄの上に半田４６が乗せられて接続部３７Ｄと接続部３８Ｄが電気的且つ機械的に接続されている。
【００４７】
このため、接続部同士に段差があった従来と比して半田４６の量を減らすことができ、作業性を向上できる。また、接続部３７Ｄと接続部３８Ｄとの間に段差が無いことによって、半田４６の分離や接続部３７Ｄと接続部３８Ｄとの間への半田４６の侵入を防止できるので、フレキシブルプリント配線板３７とフレキシブルプリント配線板３８との接続不良を防止できる。
【００４８】
また、補強板４０を強度が高いポリイミドによって形成したことで、補強板４０を薄型化したうえで接続部の接続強度を確保することが可能となっている。
［第２実施形態］
図６に示すように、カメラモジュール５２では、フレキシブルプリント配線板３７の接続部３７Ｄの裏面とフレキシブルプリント配線板３８の接続部３８Ｄの裏面に接着され、接続部３７Ｄと接続部３８Ｄとの接続強度を補強する補強板５４にネジ止め用の穴５４Ａが空けられている。また、カメラ筐体１１（図１参照）には、穴５４Ａに位置合わせされたネジ穴１１Ａが空けられており、穴５４Ａを通ってネジ穴１１Ａに螺合するネジ５６によって、補強板５４がカメラ筐体１１に固定されている。
【００４９】
これによって、接続部３７Ｄ、３８Ｄをカメラ筐体１１に固定することができ、接続部３７Ｄ、３８Ｄにかかる負荷を低減できるので、接続部３７Ｄ、３８Ｄの分離を防止できる。
【００５０】
また、補強板５４を、強度が高いＳＵＳによって形成することで、補強板５４を薄型化したうえで接続部３７Ｄ、３８Ｄの接続強度を確保することが可能となっている。
［第３実施形態］
図７に示すように、カメラモジュール６０では、フレキシブルプリント配線板３７の接続部３７Ｄの裏面とフレキシブルプリント配線板３８の接続部３８Ｄの裏面に接着され、接続部３７Ｄと接続部３８Ｄとの接続強度を補強する補強板６４にネジ止め用の穴６４Ａが空けられている。また、穴６４Ａの周囲には半田メッキが施されて導通部６４Ｂが形成されており、この導通部６４が接続部３７Ｄ、３８Ｄのグランドパターンに接触している。また、カメラ筐体１１には、導電性金属で形成されたグランド用の板金６２が取付けられている。この板金６２には、穴５４Ａに位置合わせされたネジ穴６２Ａが空けられており、穴６４Ａを通ってネジ穴６２Ａに螺合する導電性のネジ５６によって、補強板６４が板金６２に固定されている。これによって、フレキシブルプリント配線板３７、３８のグランドパターンが板金６２に接地されている。
【００５１】
以上説明したように、第１乃至第３実施形態のカメラモジュール１２、５２、６０では、フレキシブルプリント配線板３７、３８が良好に接続されているので、フレキシブルプリント配線板３７、３８の配線パターン３７Ｂ、３８Ｂに接続されたＣＣＤ２４が良好に信号を送受信できる。
【００５２】
なお、本実施形態では、デジタルカメラを例に取って本発明を説明したが、フレキシブルプリント配線板同士が半田付けにより接続されたフレキシブルプリント配線板の接続構造を備える携帯電話等の他の電子機器にも本発明を適用可能である。
【図面の簡単な説明】
【００５３】
【図１】本発明の実施の形態にかかるデジタルカメラの外観図である。
【図２】デジタルカメラの制御系の概略ブロック図である。
【図３】第１実施形態のカメラモジュールを示す斜視図である。
【図４】第１実施形態のカメラモジュールにおけるフレキシブルプリント配線板の接続構造を示す断面図である。
【図５】（Ａ）、（Ｂ）は、第１実施形態のカメラモジュールにおけるフレキシブルプリント配線板の接続構造を示す平面図である。
【図６】第２実施形態のカメラモジュールを示す斜視図である。
【図７】第３実施形態のカメラモジュールを示す斜視図である。
【図８】（Ａ）、（Ｂ）は、従来のフレキシブルプリント配線板の接続構造を示す断面図である。
【図９】従来のフレキシブルプリント配線板の接続構造を示す断面図である。
【図１０】従来のフレキシブルプリント配線板の接続構造を示す断面図である。
【符号の説明】
【００５４】
１２    カメラモジュール
２４    電荷結合素子
３７    フレキシブルプリント配線板
３７Ａ  ベースフィルム
３７Ｂ  配線パターン
３７Ｄ  接続部
３８    フレキシブルプリント配線板
３８Ａ  ベースフィルム
３８Ｂ  配線パターン
３８Ｄ  接続部
４０    補強板
５２    カメラモジュール
５４    補強板
５４Ａ  穴
６０    カメラモジュール
６４    補強板
６４Ａ  穴
【図１】
2006269832.tif 000003
【図２】
2006269832.tif 000004
【図３】
2006269832.tif 000005
【図４】
2006269832.tif 000006
【図５】
2006269832.tif 000007
【図６】
2006269832.tif 000008
【図７】
2006269832.tif 000009
【図８】
2006269832.tif 000010
【図９】
2006269832.tif 000011
【図１０】
2006269832.tif 000012